(57)【要約】【課題】盗難防止に伴うユーザーの作業や注意を払うことの煩わしさを低減した表示システムを提供する。【解決手段】表示装置２は、投写距離および傾きの設定値を予め記憶しておき、電源が投入されたときに、投写距離および傾きを測定し、投写距離および傾きの測定値が設定値と一致していれば、ユーザーに使用を許可し、投写面１への投射を開始する。【選択図】図１
2008180986.tif 000002
【特許請求の範囲】
【請求項１】
投写面に画像を投射する表示装置であって、
第１の距離を記憶する記憶部と、
電源が投入されると、前記投写面までの距離を測定する距離センサー部と、
前記距離センサー部で測定された距離が前記第１の距離と一致するか否かを判定する判定部と、
前記判定部で判定した結果が一致することを示すものであれば、前記投写面への画像の投射を可能にし、一致しないことを示すものであれば、前記投写面への画像の投射を行わせない画像投射部と、を有する表示装置。
【請求項２】
投写面に画像を投射する表示装置であって、
第１の傾きを記憶する記憶部と、
電源が投入されると、自装置の傾きを測定する角度センサー部と、
前記角度センサー部で測定された傾きが前記第１の傾きと一致するか否かを判定する判定部と、
前記判定部で判定した結果が一致することを示すものであれば、前記投写面への画像の投射を可能にし、一致しないことを示すものであれば、前記投写面への画像の投射を行わせない画像投射部と、を有する表示装置。
【請求項３】
投写面に画像を投射する表示装置であって、
第１の距離と第１の傾きとを記憶する記憶部と、
電源が投入されると、前記投写面までの距離を測定する距離センサー部と、
電源が投入されると、自装置の傾きを測定する角度センサー部と、
前記距離センサー部で測定された距離が前記第１の距離と一致するか否かを判定するとともに、前記角度センサー部で測定された傾きが前記第１の傾きと一致するか否かを判定する判定部と、
前記判定部で判定した結果が共に一致することを示すものであれば、前記投写面への画像の投射を可能にし、いずれか一方でも一致しないことを示すものであれば、前記投写面への画像の投射を行わせない画像投射部と、を有する表示装置。
【請求項４】
前記距離センサー部は、光を前記投写面に照射して前記投写面から反射光を受光したときの照射から受光までに要した時間を測定し、測定した時間に基づいて前記距離を測定する、請求項１または３に記載の表示装置。
【請求項５】
前記角度センサー部は、重力加速度を所定の方向に分解した成分値を検出可能であり、該成分値を検出すると、検出した該成分値に基づいて前記傾きを測定する、請求項２または３に記載の表示装置。
【請求項６】
投写面に画像を投射する表示装置の盗難を抑制するための盗難抑制方法であって、
第１の距離を記憶しており、
電源が投入されると、前記投写面までの距離を測定し、
前記測定された距離が第１の距離と一致すれば、前記表示装置を前記投写面への画像の投射が可能な状態にし、一致しなければ、前記表示装置を前記投写面への画像の投射を行わない、盗難抑制方法。
【請求項７】
投写面に画像を投射する表示装置の盗難を抑制するための盗難抑制方法であって、
第１の傾きを記憶しており、
電源が投入されると、前記表示装置の傾きを測定し、
前記測定された傾きが第１の傾きと一致すれば、前記表示装置を前記投写面への画像の投射が可能な状態にし、一致しなければ、前記表示装置を前記投写面への画像の投射を行わない、盗難抑制方法。
【請求項８】
投写面に画像を投射する表示装置の盗難を抑制するための盗難抑制方法であって、
第１の距離と第１の傾きとを記憶しており、
電源が投入されると、前記投写面までの距離および前記表示装置の傾きを測定し、
前記測定された距離が前記第１の距離と一致するか否かを判定するとともに前記測定された傾きが前記第１の傾きと一致するか否かを判定し、
判定した結果が共に一致すれば、前記表示装置を前記投写面への画像の投射が可能な状態にし、いずれか一方でも一致しなければ、前記表示装置を前記投写面への画像の投射を行わない、盗難抑制方法。
【請求項９】
前記表示装置は、光を前記投写面に照射して前記投写面から反射光を受光したときの照射から受光までに要した時間を測定し、測定した時間に基づいて前記距離を測定する、請求項６または８に記載の盗難抑制方法。
【請求項１０】
前記表示装置は、重力加速度を所定の方向に分解した成分値を検出可能であり、該成分値を検出すると、検出した該成分値に基づいて前記傾きを測定する、請求項７または８に記載の盗難抑制方法。
【発明の詳細な説明】
【技術分野】
【０００１】
本発明は、盗難防止機能を備えた表示装置に関する。
【背景技術】
【０００２】
画像を投射する表示装置に盗難防止機能が搭載されるようになっている。盗難防止機能とは、表示装置を盗むという行動を阻止するための機能である。一例としてパスワードによる盗難防止機能がある。パスワードによる盗難防止機能を備えた表示装置は、ユーザーにより設定されたパスワードを予め記憶しておき、電源投入時にユーザーにパスワードを入力させる。そして、ユーザーからパスワードが入力されると、表示装置は、入力されたパスワードと記憶したパスワードとが一致するか否かを判定し、一致すればユーザーに対して使用を許可する。
【０００３】
また、他の例として認証用のキーを用いた盗難防止機能がある。ユーザーは認証用のキー、例えば認証用のＵＳＢ（Ｕｎｉｖｅｒｓａｌ  Ｓｅｒｉａｌ  Ｂｕｓ）メモリと、表示装置との両方に認証データを予め設定しておく。そして、表示装置は電源投入時にＵＳＢメモリにアクセスして認証を行なう。表示装置の電源投入時に認証用のＵＳＢメモリが表示装置に挿入されており、認証データによる認証が成功すれば、表示装置はユーザーに対して使用を許可する。
【０００４】
しかしながら、上述した盗難防止機能を備えた表示装置では、電源投入時にその都度、パスワードを入力したり認証用のキーを挿入したりする必要があった。また、他のユーザーに表示装置を使用させる場合には、パスワードを知っているユーザーが他のユーザーにパスワードを教えたり、自らパスワードの入力を行なったりする必要があった。さらに、認証用のキーを用いる表示装置の場合、認証用のキーを他のユーザーに貸し出したときには、使用後にキーを回収しなければならなかった。
【０００５】
このようなユーザーに煩わしい作業を強いるという問題に対して、特許文献１は、パスワードの入力や認証用のキーの挿入を行なわずに、盗難を防止できる表示装置を提案している。特許文献１で提案された表示装置は、防犯スイッチを有しており、防犯スイッチが押下されると、盗難防止モードに切り替わる。盗難防止モードとは、ユーザーが持ち上げたときに全ての機能を停止状態に拘束するモードである。ユーザーが盗難防止モードに切り替えた後に、持ち上げられたりすると、表示装置は、持ち上げられたことを検知し、全ての機能を停止状態に拘束するとともに、その旨を音声で伝える。これにより、表示装置を盗もうとした者は盗んでも使用できないと認識して表示装置を盗むのを断念する。
【特許文献１】特開２００６−２４３２０１号公報
【発明の開示】
【発明が解決しようとする課題】
【０００６】
しかしながら、特許文献１で提案された表示装置では、防犯スイッチを押下して盗難防止モードに切り替えていたので、ユーザーが表示装置を使用するとき、再度防犯スイッチを押下し盗難防止モードを解除しなければならなかった。ユーザーが盗難防止モードを解除せずに誤って表示装置を持ち上げたりすると、表示装置は停止状態に拘束されてしまう可能性があり、ユーザーが使用に際して煩わしい注意を払う必要があった。
【０００７】
本発明の目的は、盗難防止に伴う不便さを低減して利便性を高めた表示システムを提供することにある。
【課題を解決するための手段】
【０００８】
上記目的を達成するために、本発明の表示装置は、
投写面に画像を投射する表示装置であって、
第１の距離を記憶する記憶部と、
電源が投入されると、前記投写面までの距離を測定する距離センサー部と、
前記距離センサー部で測定された距離が前記第１の距離と一致するか否かを判定する判定部と、
前記判定部で判定した結果が一致することを示すものであれば、前記投写面への画像の投射を可能にし、一致しないことを示すものであれば、前記投写面への画像の投射を行わせない画像投射部と、を有している。
【０００９】
一般に投写面に画像を投射する表示装置は同一の距離または同一の傾きで使用されることが想定されており、同一の距離または同一の傾きで表示装置が使用されれば、表示装置はユーザーに使用を許可する。表示装置が盗まれた場合、ユーザーが使用する距離と同一の距離またはユーザーが使用する傾きと同一の傾きで盗まれた表示装置が使用されることは想定しづらく、ユーザーが使用する距離と同一の距離またはユーザーが使用する傾きと同一の傾きで表示装置が使用されなければ、表示装置は使用を許可しない。
【００１０】
本発明によれば、ユーザーはパスワード入力やキーの挿入といった作業を行なわなくても表示装置を使用でき、また、持ち上げる前に盗難防止モードの解除を行なったり、それに注意を払ったりしなくても元の設置状態に戻せば表示装置を使用できるので、盗難防止に伴うユーザーの作業や注意を払うことの煩わしさが低減される。
【発明の効果】
【００１１】
本発明によれば、盗難防止に伴うユーザーの作業や注意を払うことの煩わしさが低減される。
【発明を実施するための最良の形態】
【００１２】
本発明を実施するための形態について図面を参照して詳細に説明する。図１は、本実施形態における盗難防止機能を備えた表示システムの設置状態を示す模式図である。本表示システムはスクリーン１および表示装置２を有している。
【００１３】
スクリーン１は表示装置２から投射された画像を表示する投写面である。この例では投写面として専用のスクリーン１が用いられているが、壁などで代用してもよい。
【００１４】
表示装置２はスクリーン１に画像を投射する装置である。表示装置２は、盗難防止機能により、予め定められた表示装置２の前面部から前方に存在するスクリーン１までの距離（以下「投写距離」という）および予め定められた自装置の傾きでなければ画像の投射を禁止する。これによって表示装置２を盗んでも使用することが困難となるので、盗むこと自体が無益となる。その結果、表示装置２を盗もうとする気が起こりにくくなる。
【００１５】
表示装置２は、盗難防止のために、使用を許可する否かの判定に用いる投写距離および傾きを記憶する初期設定の処理と、使用を許可するか否かを判定する許否判定の処理との、２つの処理を行なう。まず、表示装置２の初期設定について説明する。表示装置２は、電源が投入されると、投写距離と傾きを測定する。表示装置２は、投写距離と傾きとを記憶していなければ、測定した投写距離と傾きとを内部に記憶する。
【００１６】
次に表示装置２の許否判定について説明する。表示装置２は、投写距離と傾きの記憶後に電源が再び投入されると、投写距離と傾きを測定する。表示装置２は、測定した投写距離と記憶しておいた投写距離とが一致するか否か判定し、一致すると続いて、測定した傾きと記憶しておいた傾きとが一致するか否か判定する。判定した結果、一致すれば、表示装置２は、ユーザーへの使用を許可し、スクリーン１への画像の投射を可能の状態にする。いずれか一方でも一致しなければ、表示装置２はスクリーン１への画像の投射を行わない。
【００１７】
図２は本実施形態における表示装置２の構成を示すブロック図である。表示装置２は、距離センサー部２０、加速度センサー部２１、記憶部２２、判定部２３、および画像投射部２４を有している。図３は本実施形態における表示装置２の傾きを示す模式図である。図２を参照して本実施形態における表示装置２の構成を説明する。
【００１８】
距離センサー部２０は、表示装置２の電源が投入されると、パルス光を前方に照射し、照射したパルス光の反射光を受光する。その際、距離センサー部２０は、照射から受光までのパルス光の遅延時間を測定し、測定した時間から距離に変換することにより、距離を測定する。例えば、光の速度は秒速３０万ｋｍであるので、パルス光の遅延時間が１０ナノ秒であれば、光路の距離は３ｍとなる。パルス光を照射してから受光するまでの時間は往復の時間なので、距離センサー部２０と例えばスクリーン１の間の距離は、半分の１．５ｍとなる。なお、この例では距離を測定するためにパルス光が用いられているが、赤外線や超音波などであってもよい。
【００１９】
加速度センサー部２１は、表示装置２の電源が投入されると、地球の重力加速度など静的な重力加速度の分解成分の値を検出して傾きを測定する。加速度センサー部２１は、例えば、図３で示されるように直交する水平２方向（Ｘ軸、Ｙ軸）と垂直方向（Ｚ軸）の３軸の分解成分の値を検出する。例えば、Ｘ軸は表示装置２の光軸方向の軸であり、Ｙ軸は加速度センサー部２１内のＸ軸上の所定の位置（以下「原点」という）で設置面に対して平行でＸ軸と直交する軸であり、Ｚ軸は原点でＸ軸およびＹ軸と垂直方向に直交する軸である。
【００２０】
例えば、図３で示されるように表示装置２が上方向に角度θだけ傾斜させて設置されているときのθと３軸の加速度の分解成分の関係は、αＸ＝９．８１×ｓｉｎθ、αＹ＝０、およびαＺ＝９．８１×ｃｏｓθで表させられる。この状態ではＺ軸と垂直方向とのなす角がθである。この場合、傾きを測定するためには、αＸ＝９．８１×ｓｉｎθをθ＝ａｓｉｎ（αＸ÷９．８１）に、またはαＺ＝９．８１×ｃｏｓθをθ＝ａｃｏｓ（αＺ÷９．８１）に変換し、変換したθ＝ａｓｉｎ（αＸ÷９．８１）またはθ＝ａｃｏｓ（αＺ÷９．８１）に加速度センサー部２１で検出した加速度の分解成分の値を代入すればよい。
【００２１】
加速度センサー部２１で検出されたＸ軸方向の加速度αＸが４．９とすると、θ＝ａｓｉｎ（４．９÷９．８１）よりθは３０度と算出されるので、傾きは上方向に３０度となる。なお、この例では角度を測定するために加速度センサーが用いられているが、角度の測定可能な装置であればよい。
【００２２】
記憶部２２は、電源投入時に、投写距離と傾きの初期設定値を記憶していなければ、距離センサー部２０で測定された投写距離と加速度センサー部２１で測定された傾きを初期設定値として記憶する。
【００２３】
また、一旦内部に記録した投写距離と傾きをユーザーからの要求により変更することもできる。その変更を行うときの条件としては、装置本体に備えられる複数の入力キーを所定の順番、回数で押下することとし、このような入力内容を確認した記憶部２２は現在の記憶内容を消去することとしてもよい。この結果、その後の電源投入時の投写距離および傾きがあらたに設定されることとなる。
【００２４】
判定部２３は、記憶部２２で初期設定値が記憶されると、表示装置２の電源を一旦切断する。また、判定部２３は、表示装置２の電源が投入されたときに、記憶部２２で投写距離と傾きとを記憶していれば、記憶部２２で記憶しておいた投写距離と電源投入時に距離センサー部２０で測定された投写距離とが一致するか否か判定し、一致すれば続いて、記憶部２２で記憶しておいた傾きと電源投入時に角度センサー部２１で測定された傾きとが一致するか否か判定する。
【００２５】
画像投射部２４は、判定部２３で傾きが一致すれば、表示装置２の使用を許可し、スクリーン１への画像の投射を開始し、判定部２３で投写距離または傾きのいずれか一方でも一致しなければ、スクリーン１への画像の投射を行わない。
【００２６】
図４は、本実施形態における盗難防止機能を備えた表示装置２の動作を示すフローチャートである。ここで説明する表示装置２の処理は、投写距離と傾きを記憶する初期設定の処理と、使用を許可するか否かを判定する許否判定の処理との、２つの処理からなる。
【００２７】
まず、初期設定の処理について説明する。表示装置２の電源が投入されると、距離センサー部２０はスクリーン１と間の投写距離を測定する（ステップ１００）。次に、記憶部２２は距離センサー部２０で測定した投写距離を記憶する（ステップ１０１）。続いて、角度センサー部２１は傾きを測定する（ステップ１０２）。次に、記憶部２２は角度センサー部２１で測定した傾きを記録する（ステップ１０３）。そして、記憶部２２で傾きが記憶されると、判定部２３は表示装置２の電源を一旦切断する（ステップ１０４）。
【００２８】
次に、許否判定の処理について説明する。表示装置２の電源が投入されると、判定部２３は記憶部２２に記憶しておいた投写距離と傾きを読み出す（ステップ１０５）。次に、距離センサー部２０は投写距離を測定する(ステップ１０６)。判定部２３は、距離センサー部２０で測定した投写距離と記憶部２２から読み出された投写距離とを比較する(ステップ１０７)。判定部２３で比較した結果、一致しなければ、画像投射部２４は、ユーザーに使用を許可せずに、表示装置２の電源を切断し、処理を終了させる。
【００２９】
ステップ１０７の処理で、一致すれば続いて、加速度センサー部２１は表示装置２の傾きを測定する(ステップ１０８)。次に、判定部２３は、加速度センサー部２１で測定した傾きと記憶部２２に記憶された傾きとを比較する（ステップ１０９）。判定部２３で比較した結果、一致すれば、画像投射部２４は、ユーザーに使用を許可し、画像の投射を開始する(ステップ１１０)。判定部２３で比較した結果、一致しなければ、画像投射部２４は、ユーザーに使用を許可せずに、表示装置２の電源を切断し、処理を終了させる。
【００３０】
以上説明したように、本実施形態によれば、表示装置２は、投写距離および傾きの設定値を予め記憶しておき、電源が投入されたときに、投写距離および傾きを測定し、投写距離および傾きの測定値が設定値と一致していれば、ユーザーに使用を許可し、スクリーン１への投射を開始する。これにより、ユーザーはパスワード入力やキーの挿入といった作業を行なわなくても表示装置を使用でき、また、持ち上げる前に盗難防止モードの解除を行なったり、それに注意を払ったりしなくても元の設置状態に戻せば表示装置を使用できるので、盗難防止に伴うユーザーの作業や注意を払うことの煩わしさが低減される。
【００３１】
なお、本実施形態では、表示装置２は距離センサー部２０と加速度センサー部２１とを共に備える例を示したが、本発明はこれに限定されない。例えば、表示装置は、距離センサー部２０と加速度センサー部２１のどちらか一方のみを備えるようにしてもよい。距離センサー部２０を備えている場合、表示装置２は、電源投入時に距離センサー部２０で測投写距離を測定し、測定した投写距離と記憶した投写距離とが一致すれば、ユーザーに使用を許可する。また、加速度センサー部２１を備えている場合、表示装置２は、電源投入時に加速度センサー部２１で傾きを測定し、測定した傾きと記憶した傾きとが一致すれば、ユーザーに使用を許可する。これによれば、表示装置の構成を簡易するとともに盗難防止に伴うユーザーの作業や注意を払うことの煩わしさを低減できる。
【図面の簡単な説明】
【００３２】
【図１】本実施形態における盗難防止機能を備えた表示システムの設置状態を示す模式図である。
【図２】本実施形態における表示装置２の構成を示すブロック図である。
【図３】本実施形態における加速度センサー部２１で測定される加速度の一例を示す図である。
【図４】本実施形態における盗難防止機能を備えた表示装置２の動作を示すフローチャートである。
【符号の説明】
【００３３】
１    スクリーン
２    表示装置
２０  距離センサー部
２１  加速度センサー部
２２  記憶部
２３  判定部
２４  画像投射部
１００〜１１０  ステップ
【図１】
2008180986.tif 000003
【図２】
2008180986.tif 000004
【図３】
2008180986.tif 000005
【図４】
2008180986.tif 000006